(57)【要約】【課題】  本発明は、紙幣に小さな落書き、焦げ或いはインク等による染み汚れがある場合に、交換取引が可能な自動機を提供することを目的とする。【解決手段】  本願発明に係る自動取引装置は、取引種別の選択を利用者に促す操作部と、選択された取引種別に応じて、紙幣を入出金する入出金部と、入出金される紙幣の画像情報を取得して、金種及び真偽を判別する判別部と、判別された紙幣を、判別結果に基いて収納する第１の収納庫及び第２の収納庫と、を有し、入金された紙幣の焼損又は汚染程度が所定値以上であれば、入金紙幣を第１の収納庫に取り込むと共に、第２の収納庫に収納された入金された紙幣と同一金種の紙幣を出金するように制御する制御部と、を有することを特徴とする。【選択図】図８
2015026229.tif 000002
【特許請求の範囲】
【請求項１】
取引種別の選択を利用者に促す操作部と、
前記選択された取引種別に応じて、紙幣を入出金する入出金部と、
入出金される紙幣の画像情報を取得して、金種及び真偽を判別する判別部と、
前記判別された紙幣を、判別結果に基いて収納する第１の収納庫及び第２の収納庫と、を有し、
入金された紙幣の焼損又は汚染程度が所定値以上であれば、前記入金紙幣を前記第１の収納庫に取り込むと共に、前記第２の収納庫に収納された前記入金された紙幣と同一金種の紙幣を出金するように制御する制御部と、を有することを特徴とする自動取引装置。
【請求項２】
前記自動取引装置は、
前記判別部により取得した前記紙幣の画像情報を、利用者に関する情報と対応付けて記憶する判別記憶部又は本体記憶部と、を有し、
前記制御部は、
入金された紙幣の画像情報および利用者に関する情報と、前記判別記憶部又は前記本体記憶部に記憶された紙幣の画像情報及び利用者に関する情報と、を照合し、
照合の結果、一致する場合に、前記第２の収納庫に収納された前記入金紙幣と同一金種の紙幣を出金するように制御することを特徴とする請求項１に記載の自動取引装置。
【請求項３】
前記入金された紙幣の焼損又は汚染程度が所定値未満である場合には、前記入金された紙幣は利用者に返却されることを特徴とする請求項１または２に記載の自動取引装置。
【請求項４】
前記制御部は、
前記入金された紙幣が、所定時間以内に前記紙幣取扱装置から出金された紙幣である場合に、前記第２の収納庫に収納された前記入金された紙幣と同一金種の紙幣を出金するように制御することを特徴とする請求項１に記載の自動取引装置。
【請求項５】
前記紙幣の焼損又は汚染程度の所定値は、焼損又は汚染箇所の面積又は明度に基いて、予め前記判別記憶部又は前記本体記憶部に記憶されていることを特徴とする請求項１に記載の自動取引装置。
【請求項６】
前記紙幣の画像情報には、記番号に関する情報が含まれることを特徴とする請求項１に記載の自動取引装置。
【請求項７】
取引種別の選択を利用者に促すステップと、、
前記選択された取引種別に応じて、紙幣の入金を促すステップと、
入金された紙幣の画像情報を取得して、金種及び真偽を判別するステップと、
前記入金された紙幣の焼損又は汚染程度が所定値以上であれば、前記入金された紙幣を第１の収納庫に収納し、かつ、前記第１の収納庫とは異なる第２の収納庫に収納された、前記入金された紙幣と同一金種の紙幣を出金するステップと、を有することを特徴とする紙幣交換取引方法。
【請求項８】
前記紙幣交換取引方法は、
出金される紙幣の画像情報を、利用者に関する情報と対応付けて記憶するステップと、
前記入金された紙幣の画像情報および利用者に関する情報と、前記記憶された紙幣の画像情報及び利用者に関する情報と、を照合するステップと、
照合の結果、一致する場合に、前記第２の収納庫に収納された、前記入金された紙幣と同一金種の紙幣を出金するステップと、を有することを特徴とする請求項７に記載の紙幣交換取引方法。
【請求項９】
利用者の選択に応じて取引を実行する自動取引装置と、前記自動取引装置と前記取引に関する情報を通信するホストコンピュータ又はサーバと、を有する自動取引システムであって、
前記自動取引装置は、
取引種別の選択を利用者に促す操作部と、
前記選択された取引種別に応じて、紙幣を入出金する入出金部と、
入出金される紙幣の画像情報を取得して、金種及び真偽を判別する判別部と、
前記判別された紙幣を、判別結果に基いて収納する第１の収納庫及び第２の収納庫と、
入金された紙幣の焼損又は汚染程度が所定値以上であれば、前記入金紙幣を前記第１の収納庫に取り込むと共に、前記第２の収納庫に収納された前記入金された紙幣と同一金種の紙幣を出金するように制御する制御部と、を有し、
前記ホストコンピュータ又はサーバは、
前記判別部により取得した前記紙幣の画像情報を、利用者に関する情報と対応付けて記憶し、
前記制御部は、
入金された紙幣の画像情報および利用者に関する情報と、前記ホストコンピュータ又はサーバに記憶された紙幣の画像情報及び利用者に関する情報と、を照合し、
照合の結果、一致する場合に、前記第２の収納庫に収納された前記入金紙幣と同一金種の紙幣を出金するように制御することを特徴とする自動取引システム。
【発明の詳細な説明】
【技術分野】
【０００１】
本願発明は、紙幣を取り扱う自動取引装置、自動取引システム及び紙幣交換取引方法に関する。
【背景技術】
【０００２】
特許文献１には、リサイクル庫の紙幣の出入り監視に記番号を使用して紙幣管理することが開示されている。
【先行技術文献】
【特許文献】
【０００３】
【特許文献１】特開２０１２-１３３７６１号公報
【発明の概要】
【発明が解決しようとする課題】
【０００４】
紙幣に、焦げ或いは落書きやインク等による染み汚れがある場合、利用者によっては不快に感じ交換することを望む場合がある。この場合、利用者はわざわざ銀行の窓口に出向いて紙幣を交換してもらう必要が生じる。
【課題を解決するための手段】
【０００５】
本願発明に係る自動取引装置は、取引種別の選択を利用者に促す操作部と、選択された取引種別に応じて、紙幣を入出金する入出金部と、入出金される紙幣の画像情報を取得して、金種及び真偽を判別する判別部と、判別された紙幣を、判別結果に基いて収納する第１の収納庫及び第２の収納庫と、を有し、入金された紙幣の焼損又は汚染程度が所定値以上であれば、入金紙幣を第１の収納庫に取り込むと共に、第２の収納庫に収納された入金された紙幣と同一金種の紙幣を出金するように制御する制御部と、を有することを特徴とする。
【発明の効果】
【０００６】
本発明によれば、紙幣に、焦げ或いは染み汚れがある場合に、交換取引が可能な自動機を提供することができる。
【図面の簡単な説明】
【０００７】
【図１】本願発明の実施例に係る、自動取引装置の概略図
【図２】本願発明の実施例に係る、自動取引装置の機能ブロック図
【図３Ａ】本願発明の実施例に係る、判別部の上方からの構成図
【図３Ｂ】本願発明の実施例に係る、図３Ａの紙幣の搬送方向に沿った断面構成図
【図４】本願発明の実施例に係る、焦げた紙幣の状態を示す図
【図５】本願発明の実施例に係る、出金取引の際に判別記憶部に記憶される情報のテーブル例
【図６】本願発明の実施例に係る、操作部に表示され取引選択メニューの表示例
【図７Ａ】本願発明の実施例に係る、紙幣を交換取引する際に判別記憶部に記憶される情報のテーブル例
【図７Ｂ】本願発明の実施例に係る、紙幣を交換取引する際に本体記憶部に記憶される情報のテーブル例
【図８】本願発明の実施例に係る、紙幣を交換取引する際の処理を示すフロー図
【発明を実施するための形態】
【０００８】
以下、本願発明の実施例に係る図面を用いて説明する。まず、図１は本願発明の実施例に係る自動取引装置の概略を示す図である。具体的には、利用者が紙幣を出し入れする入出金部１、入出金部１内で、利用者が紙幣を投入するホッパ２、主にリジェクトされた紙幣を利用者に返却するリジェクトスタッカ３、装置内の各部位に紙幣を搬送する搬送路５、搬送路内で、紙幣の行き先を変えるゲート４、７、８、１１、１２、１３、１４、各種センサから紙幣の特徴を読取り、金種、真偽、種類、厚み、記番号等を判別する判別部６、紙幣を一時的に保管する一時保管庫９、偽券や利用者の取り忘れた紙幣を入れる回収庫１０、紙幣を収納および出金する収納庫であるリサイクル庫１５、１６、１７、１９、リサイクルしない紙幣を入れる収納庫である非リサイクル庫１８を有する。なお、回収庫１０が無い自動取引装置の場合は、非リサイクル庫１８に偽券や利用者の取り忘れた紙幣を入れる構成でも良い。
【０００９】
次に、図１の自動取引装置を用いた取引の動作概要を説明する。利用者が紙幣を入金する入金取引では、利用者により入出金部１に紙幣が投入されると、入出金部１のホッパ２から紙幣が１枚ずつ分離され、搬送路５上に繰り出される。そして、判別部６で紙幣の金種、真偽、折れなどの状態及び記番号等を判定し、紙幣の収納先を決定する。ここで、真券である紙幣や偽券と疑わしく回収する必要のある紙幣は一時保管庫９に入れる。偽券と判別した紙幣は、ゲート８で行き先を切替えて、回収庫１０に入れる。それ以外の金種がわからない紙幣や、寸法が異常な紙幣やスキューや紙幣の間隔が狭いなど搬送状態が異常な紙幣等は、リジェクト紙幣として、ゲート７を切替えて、入出金部１のリジェクトスタッカ３にもどして、利用者に返却する。利用者が入金取引を取り消した場合は、一時保管庫９から紙幣を１枚ずつ分離し、搬送路５に繰り出す。紙幣はゲート８、ゲート７、再度判別部６を通過し、ゲート４を通過して、ホッパ２に戻される。利用者が入金取引を確定した場合、一時保管庫９に入っている紙幣をリサイクル庫か非リサイクル庫１８に収納する。例えば、１枚目がリサイクルする金種で、２枚目がリサイクルしない金種の紙幣の場合、一時保管庫９から紙幣を１枚ずつ分離し、搬送路５に繰り出し、両紙幣はゲート８、ゲート７を通過し、再度判別部６を通過し、ゲート４を切替えて、両紙幣をリサイクル庫のある方向に搬送し、ゲート１２で搬送方向を切替えて、１枚目の紙幣をリサイクル庫１６に入れる。２枚目のリサイクルしない紙幣は、ゲート１２を元に戻して、ゲート１３を通過し、ゲート１４を切替えて、非リサイクル庫１８に紙幣を収納する。
【００１０】
図２は本願発明の実施例に係る自動取引装置と紙幣取扱装置の機能ブロック図である。まず、自動取引装置の上位装置であり、取引情報の送受信を行うホストコンピュータ１０１であり、サーバであっても良い。また紙幣取扱部１０４を搭載する自動取引装置（ＡＴＭ）１０３があって、自動取引装置１０３は、紙幣の搬送を制御する紙幣取扱部１０４、紙幣の寸法、金種、真偽、折れなどの状態および記番号等を判定し、紙幣の搬送先を決定する判別部１０５、紙幣の画像データなどを記憶する判別記憶部１０６、通帳を取り扱う通帳取扱部１０７、取引明細票を発行する明細票発行部１０８、磁気ストライプカードやＩＣカードを取り扱うカード取扱部１０９、利用者、係員、保守員がタッチパネルの操作や、操作の為の画面を表示する操作部１１０、プログラムやカードデータ、紙幣取扱装置から報告された紙幣データ等を記憶する本体記憶部１１１、自動取引装置全体の制御を行う制御部１０２とから構成される。また、判別部１０５は制御部１０２と回線でつながっており、判別記憶部１０６のデータを制御部１０２に転送できるようになっている。
【００１１】
次に、図３は本願発明の実施例に係る判別部６のハード構成を示す図であり、図３Ａは判別部６の上方からの構成図で、図３Ｂは判別部６の紙幣の搬送方向に沿った断面構成図である。ここで、ローラ４０２、４０３、４０４は紙幣を搬送するローラで、上下のローラに駆動力を供給して紙幣を搬送する。光学センサ４０５、４０６は反射式のカラー光学センサで、４０５は紙幣の上面のカラー画像を読み込み、４０６は紙幣の下面のカラー画像を読み込む。４０５、４０６ともに紙幣全面を読み取れるだけの幅を持ち、カラー光学センサが複数個並んでいるものとする。光学センサ４０７は透過式の光学センサで、上下のセンサで一対になっている。上下どちらかのセンサから投光し、対になっている側で受光する。これも紙幣全面を読み取れるだけの幅を持ち、光学センサが複数個並んでいるものとする。この他にも、磁気センサ、厚みセンサ、蛍光センサを搭載する場合もあるが、判別する対象の紙幣によってセンサ構成の組合せは異なる。
【００１２】
図４は、本願発明の実施例に係る、焦げた紙幣の状態を示す図である。これは、焦げに限定されず、小さな落書きやインク等による染み汚れがある場合も同じである。紙幣５０１では、焦げている部分が大きい紙幣の場合のa、b、cの３箇所における焦げの色の濃さと大きさを示している。紙幣５０２では、焦げている部分が小さい紙幣の場合のa、b、cの３箇所における焦げの色の濃さと大きさを示している。これらの焦げの色の濃さや大きさにより交換できる紙幣か、交換できない紙幣かを判断する。
【００１３】
図５は、利用者が自動取引装置（ＡＴＭ）で出金取引をする際に、判別記憶部に記憶する情報を示す図である。ここで、利用者が自動取引装置（ＡＴＭ）で出金取引をした際の紙幣の焦げ画像（あるいは落書きやインク等による染み汚れ）を取得する方法について説明する。まず、利用者が自動取引装置（ＡＴＭ）で出金取引を始める際に、判別記憶部１０６には何もデータが入っていない状態にする。利用者が出金取引の指示を出した後、該当する金種が保管されているリサイクル庫１５、１６、１７、１９から指定された金種を1枚ずつ搬送路５に繰り出す。判別部６を通過する毎に判別記憶部１０６に、紙幣の透過センサ画像と反射センサ画像を保存する。保存した透過センサ画像と反射センサ画像に一致する記番号、金種、各センサから読み出した特徴データを紙幣固有情報として保存する。この保存した紙幣情報を制御部１０２に転送し、利用者情報と合わせて本体記憶部１１１に記憶させておく、あるいはホストコンピュータ１０１に紙幣情報を転送し、利用者情報と合わせて記憶させておく。
判別部６を通過した紙幣は、前述の通り、判別結果に応じて収納庫や回収庫等に収納される。
【００１４】
次に、図６は、利用者に対して表示する自動取引装置の操作部１１０に表示する取引選択画面である。この取引選択画面には、複数の取引内容が表示されており、その一つとして、自動取引装置で出金した紙幣に焦げ（あるいは落書きやインク等による染み汚れ）があって、紙幣を交換したい場合に利用者が選択する「出金紙幣の交換」ボタンがある。よって、利用者が出金紙幣を交換したい場合には、出金紙幣の交換を選択することにより交換を行なう。図６では出金紙幣の交換としているが、表示させる文字は利用者に紙幣交換がわかる文字であれば良い。
【００１５】
図７は、利用者が自動取引装置で出金した紙幣に焦げ（あるいは落書きやインク等による染み汚れ）があり、自動取引装置（ＡＴＭ）で紙幣を交換する場合に、判別記憶部１０６（図７Ａ）、本体記憶部１１１（図７Ｂ）に記憶される情報を示す図である。これらの図の使用方法を説明すると、利用者が交換したい紙幣を入出金部１に紙幣を投入すると、投入された紙幣は入出金部１のホッパ２から紙幣を１枚ずつ分離され、搬送路５上に繰り出される。そして、判別部６で紙幣の金種、真偽、折れなどの状態および記番号等が判定される。判別後、判別結果である紙幣の金種、記番号情報と、利用者情報とを判別記憶部１０６に記憶させ、記憶させた紙幣の金種、記番号情報と利用者情報を、本体記憶装置１１１に記憶された利用者情報、それと併せて保存されている紙幣の金種、記番号情報と照合する。ここで、利用者情報、金種、記番号情報が一致しなかった場合は、紙幣を入出金口１のリジェクトスタッカ３に戻し、取引を終了する。利用者情報、金種、記番号情報が一致した場合は、投入した紙幣を一時保管庫９に入れ、搬送路５を搬送し判別部６を通過させ、リサイクルしない紙幣を入れる非リサイクル庫１８へ入れる。その後、該当する金種の保管されているリサイクル庫１５、１６、１７、１９より紙幣を１枚ずつ搬送路５上に繰り出し、判別部６を通過し、判別結果か真であれば、入出金口１のホッパ２へ搬送させる。判別結果が偽券と判別した紙幣やそれ以外の金種がわからない紙幣や、寸法が異常な紙幣やスキューや紙幣の間隔が狭い、２枚重なった連れ出しなど搬送状態が異常な紙幣等は一時保管庫９に搬送し、再度判別部６で判別を行ない判別結果が真である紙幣である場合は、リサイクル庫１５、１６，１７、１９に収納する。また再度、判別結果が偽券と判別した紙幣やそれ以外の金種がわからない紙幣や、寸法が異常な紙幣やスキューや紙幣の間隔が狭いなど搬送状態が異常な紙幣等は、リサイクルしない紙幣を入れる非リサイクル庫１８に収納する。
【００１６】
さらに、図８は、図１〜７を用いて説明してきた出金紙幣を交換するときの各処理を合わせた全体的な処理を示すフロー図である。利用者が操作部１１０において出金紙幣の交換６０１を選択すると、制御部１０２は紙幣取扱部１０４に対して入出金口１を開ける指示を出す（Ｓ８０１、８０２）。利用者が入出金口１に紙幣を投入すると、制御部１０２は紙幣取扱部１０４に対して、利用者の入金した紙幣をホッパ２から搬送路５へ供給するよう指示を出し、紙幣取扱部１０４はホッパ２から、搬送路５へ紙幣を１枚ずつ繰出す（Ｓ８０３）。その後、繰出された紙幣は、搬送路５を通って判別部６に搬送され、判別部６で紙幣の特徴を各種センサで読み取り、金種、真偽、損券判別を行う（Ｓ８０４）。また、併せて、紙幣固有情報である、金種、汚れなどの特徴、記番号を判別記憶部１０６に記憶する（Ｓ８０５）。
【００１７】
次に、Ｓ８０４で判別処理が実行された紙幣が、スキュー異常（傾き異常）、シフト異常、重送異常（重なり）等の搬送状態に異常が無いが、偽券に該当する等の理由により特別に回収する必要がある紙幣の場合は、回収庫１０に紙幣を回収する（Ｓ８１１、８１２）。Ｓ８０４で、スキュー異常（傾き異常）、シフト異常、重送異常（重なり）等の搬送状態に異常がある場合や、偽券であっても利用者に紙幣を返却するような運用の場合は、紙幣を利用者に返却する為に、リジェクトスタッカ３にまで搬送するように制御部１０２に制御される（Ｓ８１１、８１３）。
【００１８】
Ｓ８０４により、真券等であると判定され一時保管庫９に搬送すべき紙幣であると判別された場合は（Ｓ８０６）、判別記憶部１０６又は本体記憶部１１１に記憶されている出金時の利用者情報及び記番号情報が、Ｓ８０４の判別処理で取得された記番号情報、及び、制御部１０２から得られた現在取引を行っている利用者情報と、一致するか否かの照合処理を実行する（Ｓ８０７）。  なお、出金時の利用者情報及び記番号情報は、本体記憶部１１１、判別記憶部１０６、ホストコンピュータ１０１あるいはサーバに記憶させても良い。
【００１９】
照合の結果、両者の情報が一致しなかった場合は、投入された紙幣はリジェクトスタッカ３に搬送される。なお、本実施例では、利用者情報と合わせて照合するのは、記番号としているが、記番号が汚れ等で不明確な場合は、紙幣固有の情報を使用しても良いし、記番号と組み合わせて使用しても良い。例えば、イメージ画像のパターンマッチングした情報を使用しても良い。また、利用者情報及び紙幣の画像情報の照合一致を必要としない運用の場合は、Ｓ８０７、８０８をスキップしても良い。
【００２０】
このように、取引種別の選択を利用者に促す操作部と、選択された取引種別に応じて、紙幣を入出金する入出金部と、入出金される紙幣の画像情報を取得して、金種及び真偽を判別する判別部と、判別された紙幣を、判別結果に基いて収納する第１の収納庫及び第２の収納庫と、を有し、入金された紙幣の焼損又は汚染程度が所定値以上であれば、入金紙幣を第１の収納庫に取り込むと共に、第２の収納庫に収納された入金された紙幣と同一金種の紙幣を出金するように制御する制御部と、を有する自動取引装置や、取引種別の選択を利用者に促すステップと、選択された取引種別に応じて紙幣の入金を促すステップと、入金された紙幣の画像情報を取得して、金種及び真偽を判別するステップと、入金された紙幣の焼損又は汚染程度が所定値以上であれば、入金された紙幣を第１の収納庫に収納し、かつ、第１の収納庫とは異なる第２の収納庫に収納された、入金された紙幣と同一金種の紙幣を出金するステップと、を有する紙幣交換取引方法を採用することにより、わざわざ窓口に行かなくても自動機で対象となる焼損又は汚染紙幣を交換することが可能となり利便性が向上する。
【００２１】
一方、両者の情報が一致した場合は、次のステップに進む。次は、自動取引装置１０３から出金されて２４時間以内かどうかを判定し（Ｓ８０８）、期間外だった場合はリジェクトスタッカ３に搬送する。ここでは、２４時間と設定しているが、期間の設定は１２時間や１週間等に設定できるものとする。上記期間内である場合は、紙幣の焦げが所定の大きさ以内、例えば１５ｍｍ×１０ｍｍ以内であるか判定し（Ｓ８０９）、所定の大きさ以内であれば軽度の損傷としてリジェクトスタッカ３に搬送する。一方、紙幣の焦げが所定の大きさ以上、例えば１５ｍｍ×１０ｍｍより大きい場合は、一時保管庫９に入れる（Ｓ８１０）。本実施例では、判定条件として１５ｍｍ×１０ｍｍの大きさを基準としているが、２０ｍｍ×５ｍｍ等、自由に設定しても良い。また、集積している紙幣の明るさに対して、焦げによる紙幣の色合いが３０％暗くなったことを条件としても良いし、大きさと色合いを組み合わせて設定しても良い。色合いの割合についても４０％、５０％暗くなった場合と設定しても良い。さらに紙幣の平均的な明るさに対して、色合いが暗い画素がいくつ以上になったかを条件にしても良い。続いて、Ｓ８０３からＳ８１３までの一連の処理をホッパ２の利用者が入れた紙幣が無くなるまで行う（Ｓ８１４）。ホッパ２の紙幣が無くなったら、一時保管庫９から搬送路５へ１枚ずつ紙幣を繰り出し、非リサイクル庫１８へ搬送し収納する（Ｓ８１５）。次に、交換指示のあった該当する金種をリサイクル庫１５、１６、１７、１９のいずれかから１枚ずつ搬送路５へ繰り出し（Ｓ８１６）、判別部６を通過させて、入出金口１のホッパ２に入れる（Ｓ８１７）。
【００２２】
なお、上記実施例では、当該自動取引装置から出金された紙幣の交換について説明したが、利用者情報と記番号あるいは紙幣固有情報がホストコンピュータ１０１あるいはサーバに記憶させることにより、照合処理が実行可能であれば別の自動取引装置から出金された紙幣についても取り扱うようにしても良い。、全支店の自動取引装置と連携させても良い。またＳ８０８とＳ８０９の順序は逆でも良い。
【００２３】
このように、判別部により取得した紙幣の画像情報を、利用者に関する情報と対応付けて記憶する判別記憶部又は本体記憶部と、を有し、制御部が、入金された紙幣の画像情報および利用者に関する情報と、判別記憶部又は本体記憶部に記憶された紙幣の画像情報及び利用者に関する情報と、を照合し、照合の結果、一致する場合に、第２の収納庫に収納された入金紙幣と同一金種の紙幣を出金するように制御する自動取引装置や、出金される紙幣の画像情報を、利用者に関する情報と対応付けて記憶するステップと、入金された紙幣の画像情報および利用者に関する情報と、前記記憶された紙幣の画像情報及び利用者に関する情報と、を照合するステップと、照合の結果、一致する場合に、第２の収納庫に収納された、入金された紙幣と同一金種の紙幣を出金するステップと、を有する紙幣交換取引方法を採用して、出金した利用者と交換しようとする利用者が同一であることを交換取引の条件とすることで、不正目的の交換取引を抑制することが可能となる。
【００２４】
また、上記構成に加えて、利用者の選択に応じて取引を実行する自動取引装置と、自動取引装置と取引に関する情報を通信するホストコンピュータ又はサーバと、を有する自動取引システムであって、ホストコンピュータ又はサーバに、判別部により取得した紙幣の画像情報を、利用者に関する情報と対応付けて記憶させておく構成を採用することにより、出金した自動取引装置と、交換取引をしようとする自動取引装置が異なる場合でも、交換取引が可能となり利便性が向上する。
【００２５】
さらに、入金された紙幣の焼損又は汚染程度が所定値未満である場合には、入金された紙幣を利用者に返却する構成を追加することにより、焼損又は汚染程度が低く、一般的に交換する必要がない紙幣まで交換されることを防ぐことが可能となる。
【００２６】
また、入金された紙幣が、所定時間以内に前記紙幣取扱装置から出金された紙幣である場合に、交換取引を成立させる構成を追加することにより、不正目的の交換取引を防ぐことが可能となる。
【００２７】
さらに、紙幣の焼損又は汚染程度の所定値は、焼損又は汚染箇所の面積又は明度に基いて、予め前記判別記憶部又は前記本体記憶部に記憶されている構成が好ましく、紙幣の画像情報には、記番号に関する情報が含まれることが好ましい。
【符号の説明】
【００２８】
１…入出金部
２…ホッパ
３…リジェクトスタッカ
４、７、８、１１〜１４…ゲート
５…搬送路
６、１０５…判別部
９…一時保管庫
１０…回収庫
１５〜１７、１９…リサイクル庫
１８…非リサイクル庫
１０１…ホストコンピュータ
１０２…制御部
１０３…自動取引装置
１０４…紙幣取扱部
１０６…判別記憶部
１０７…通帳取扱部
１０８…明細票発行部
１０９…カード取扱部
１１０…操作部
１１１…本体記憶部
【図１】
2015026229.tif 000003
【図２】
2015026229.tif 000004
【図３Ａ】
2015026229.tif 000005
【図３Ｂ】
2015026229.tif 000006
【図４】
2015026229.tif 000007
【図５】
2015026229.tif 000008
【図６】
2015026229.tif 000009
【図７Ａ】
2015026229.tif 000010
【図７Ｂ】
2015026229.tif 000011
【図８】
2015026229.tif 000012